(57)【要約】【課題】予約の重複を自動的に解決して予約を登録する。【解決手段】情報処理部３０は、予約時間が重複している番組どうしの重複時間が、予め設定されているカット時間以内である場合、一方の番組の予約時間を短縮して変更し、不揮発メモリ２８に記憶させる。また、不揮発メモリ２８には、予約時間の開始時刻が先の番組と、予約時間の開始時刻が後の番組との優先順位を登録することができ、情報処理部３０は、優先順位が低い方の番組の予約時間を短縮する。本発明は、例えば、テレビジョン受像機に適用できる。【選択図】図２
2010130298.tif 000002
【特許請求の範囲】
【請求項１】
予約時間が重複している番組どうしの重複時間が、予め設定されている所定時間以内である場合、一方の前記番組の予約時間を短縮して変更する変更手段と、
前記変更手段により変更された前記予約時間を登録する登録手段と
を備える情報処理装置。
【請求項２】
予約時間の開始時刻が先の番組と、予約時間の開始時刻が後の番組との優先順位を登録する優先設定登録手段
をさらに備え、
前記変更手段は、優先順位が低い方の番組の予約時間を短縮する
請求項１に記載の情報処理装置。
【請求項３】
予約時間が重複している番組どうしの重複時間が、予め設定されている所定時間以内である場合、一方の前記番組の予約時間を短縮して変更し、
変更された前記予約時間を登録する
ステップを含む情報処理方法。
【請求項４】
予約時間が重複している番組どうしの重複時間が、予め設定されている所定時間以内である場合、一方の前記番組の予約時間を短縮して変更し、
変更された前記予約時間を登録する
ステップを含む情報処理をコンピュータに実行させるプログラム。
【発明の詳細な説明】
【技術分野】
【０００１】
本発明は、情報処理装置および情報処理方法、並びにプログラムに関し、特に、予約の重複を自動的に解決して予約を登録することができるようにした情報処理装置および情報処理方法、並びにプログラムに関する。
【背景技術】
【０００２】
従来、例えば、ハードディスクレコーダなどの録画装置は、放送波またはネットワークを介して提供される番組情報を利用して、番組の録画を予約する（例えば、特許文献１参照）。
【０００３】
近年、視聴率競争の激化に伴い、例えば、７時５８分などの中途半端な時刻から放送が開始される番組が増加している。このような放送形態により、テレビジョン受像機や録画装置などにおける録画予約または視聴予約において、予約が重複することが増加することになる。
【０００４】
例えば、７時００分から８時００分までの番組を録画予約し、その後、７時５８分から９時００分までの番組を録画予約しようとしたとき、予約が重複していると扱われるため、７時５８分から９時００分までの番組を録画予約することができない。この場合、例えば、７時００分から８時００分までの番組に対し、７時００分から７時５８分までを録画するように、ユーザが手動で録画予約を変更することで、７時５８分から９時００分までの番組を録画予約することができるようになる。
【０００５】
このように、ユーザが手動で予約を変更しなければ予約を登録することができず、重複時間が数分であっても、予約を登録できない番組の全体が録画されない。
【０００６】
【特許文献１】特開２００５−１７５８５０号公報
【発明の開示】
【発明が解決しようとする課題】
【０００７】
上述したように、従来のテレビジョン受像機や録画装置などでは、予約が重複したときに、ユーザが手動で重複を解決しなければ、予約を登録することができなかった。
【０００８】
本発明は、このような状況に鑑みてなされたものであり、番組の予約時間が重複している場合に、その重複を自動的に解決して予約を登録することができるようにするものである。
【課題を解決するための手段】
【０００９】
本発明の一側面の情報処理装置は、予約時間が重複している番組どうしの重複時間が、予め設定されている所定時間以内である場合、一方の前記番組の予約時間を短縮して変更する変更手段と、前記変更手段により変更された前記予約時間を登録する登録手段とを備える。
【００１０】
本発明の一側面の情報処理方法またはプログラムは、予約時間が重複している番組どうしの重複時間が、予め設定されている所定時間以内である場合、一方の前記番組の予約時間を短縮して変更し、変更された前記予約時間を登録するステップを含む。
【００１１】
本発明の一側面においては、予約時間が重複している番組どうしの重複時間が、予め設定されている所定時間以内である場合、一方の番組の予約時間が短縮されて変更され、変更された予約時間が登録される。
【発明の効果】
【００１２】
本発明の一側面によれば、予約の重複を自動的に解決して予約を登録することができる。
【発明を実施するための最良の形態】
【００１３】
以下、本発明を適用した具体的な実施の形態について、図面を参照しながら詳細に説明する。
【００１４】
図１は、本発明を適用したテレビジョン受像機の一実施の形態の構成例を示す図である。
【００１５】
図１において、テレビジョン受像機１１は、アンテナ１２により受信される放送波を介して、または、LAN（Local Area Network）などのネットワーク１３を介して、番組情報（EPG（Electrical Program Guide）データ）を取得する。また、テレビジョン受像機１１は、番組情報を利用した番組予約機能をユーザに提供し、ユーザは、リモートコマンダ１４などの外部装置を操作して、録画したい番組の録画予約や、視聴したい番組の視聴予約を行うことができる。
【００１６】
図２は、図１のテレビジョン受像機１１の構成例を示すブロック図である。
【００１７】
図２に示すように、テレビジョン受像機１１は、電源２１、赤外線受信部２２、放送波受信部２３、ネットワーク接続部２４、表示部２５、録画部２６、制御部２７、不揮発メモリ２８、揮発メモリ２９、および情報処理部３０を備えて構成される。
【００１８】
電源２１は、図示しない給電装置に接続されており、テレビジョン受像機１１の各ブロックを駆動するために必要な電力の供給を受け、その電力を、制御部２７を介して各ブロックに供給する。
【００１９】
赤外線受信部２２は、ユーザの操作に応じてリモートコマンダ１４（図１）から送信されてくる赤外線信号を受信する。例えば、ユーザがリモートコマンダ１４を操作すると、その操作に応じた赤外線信号がリモートコマンダ１４から出力され、赤外線受信部２２は、その赤外線信号を受信し、ユーザの操作を示す操作信号（電気信号）を制御部２７に供給する。
【００２０】
放送波受信部２３は、図１のアンテナ１２に接続されており、アンテナ１２を介して放送波を受信する。放送波受信部２３は、チューナを内蔵しており、所定のチャンネルをチューナにより選局し、そのチャンネルの放送波から音声信号および映像信号を取得して制御部２７に供給する。また、放送波受信部２３は、音声信号および映像信号の他、放送波に含まれる番組情報（例えば、番組開始時刻や、番組継続時間、物理周波数など）を示す信号を取得し、番組情報を制御部２７に供給する。
【００２１】
ネットワーク接続部２４は、図１のネットワーク１３に接続されており、ネットワーク１３を介して配信される番組情報を取得して制御部２７に供給する。
【００２２】
表示部２５は、CRT（Cathode Ray Tube）や、LCD（Liquid Crystal Display），PDP（Plasma Display Panel）、有機EL（Electro Luminescence）パネルなどからなり、制御部２７を介して放送波受信部２３から供給される映像信号に基づく映像を表示する。また、表示部２５は、制御部２７の制御に従って、番組情報の一覧や、テレビジョン受像機１１の各種設定を行うための設定画面などのUI（User Interface）を表示する。
【００２３】
録画部２６は、制御部２７の制御に従って、図示しないハードディスクドライブや半導体メモリなどの記録媒体に対して、放送波受信部２３が取得した映像信号を記録させ、番組を録画する。
【００２４】
制御部２７は、テレビジョン受像機１１の各ブロックを制御する。例えば、制御部２７は、赤外線受信部２２から供給される操作信号に応じて、放送波受信部２３によるチャンネルの選局を変更させたり、番組情報の一覧や設定画面などを表示部２５に表示させる。また、制御部２７は、放送波受信部２３またはネットワーク接続部２４から供給される番組情報を、情報処理部３０を介して不揮発メモリ２８に記憶させる。
【００２５】
不揮発メモリ２８は、例えば、EEPROM（Electronically Erasable and Programmable Read Only Memory）など、データの消去および書き込みを自由に行うことができ、電源を切っても内容が消えないメモリである。不揮発メモリ２８は、例えば、情報処理部３０が実行するプログラムや、放送波受信部２３またはネットワーク接続部２４が取得した番組情報などを記憶する。また、不揮発メモリ２８は、情報処理部３０が自動解決条件を設定する処理（後述する図３のフローチャートの処理）を行った結果得られる自動解決条件や、情報処理部３０が予約登録処理（後述する図４のフローチャートの処理）を行った結果得られる予約情報などを記憶する。
【００２６】
揮発メモリ２９は、例えば、RAM（Random Access Memory）など、電源を切ると記憶内容が失われるメモリであり、情報処理部３０において実行される各種処理において必要なデータを適宜記憶する。
【００２７】
情報処理部３０は、CPU（Central Processing Unit）を有しており、不揮発メモリ２８に記憶されているプログラムを実行し、各種の処理を行う。
【００２８】
例えば、情報処理部３０は、ユーザが、所望の番組の録画予約または視聴予約を登録する操作を行うと、ユーザにより指定された番組の予約を登録する予約登録処理を行う。即ち、情報処理部３０は、不揮発メモリ２８に記憶されている番組情報を参照し、録画予約または視聴予約された番組の開始時刻や予約時間（その番組が放送されている時間）などを含む予約情報を不揮発メモリ２８に記憶させる。また、情報処理部３０は、予約登録処理において記憶させた予約情報に従い、録画予約または視聴予約された番組の開始時刻になると、その旨を制御部２７に通知する。これにより、制御部２７は、録画予約された番組を録画部２６に録画させる制御や、視聴予約された番組を表示部２５に表示させる制御を行う。
【００２９】
また、情報処理部３０は、予約登録処理において、不揮発メモリ２８に記憶済みの予約情報を参照し、新たに予約を登録する番組の予約時間が、既に予約が登録されている番組の予約時間と重複しているとき、自動的に番組の重複を解決する処理を行う。
【００３０】
例えば、予約時間が重複している番組のうち、開始時刻が先の方を番組Ａとし、開始時刻が後の方を番組Ｂとすると、情報処理部３０は、自動的に番組Ａの予約終了時刻を番組Ｂの予約開始時刻まで短縮（カット）し、番組Ｂの予約情報を登録する。このとき、テレビジョン受像機１１には、番組Ａと番組Ｂとのどちらの予約を優先するかを示す優先順位や、予約時間の短縮を行う閾値となるカット時間（例えば、何分以下であれば予約時間を短縮するかを許容する時間）などを、自動解決条件として登録しておくことができ、情報処理部３０は、自動解決条件に基づいて自動的に番組の重複を解決する。
【００３１】
次に、図３は、図２のテレビジョン受像機１１が、自動解決条件を設定する処理を説明するフローチャートである。
【００３２】
例えば、ユーザが、リモートコマンダ１４を操作して、テレビジョン受像機１１の設定画面を表示部２５に表示させ、自動解決条件を設定する操作を行うと処理が開始される。
【００３３】
ステップＳ１１において、制御部２７は、自動解決条件を設定する設定画面を表示部２５に表示させる。この設定画面には、自動的に番組の重複を解決する自動解決処理を有効にするか否かを指定する有効指定ボタンや、カット時間を入力する入力ボックス、優先順位を指定する優先指定ボタンなどのグラフィカルユーザインタフェースが表示される。
【００３４】
ステップＳ１１の処理後、処理はステップＳ１２に進み、情報処理部３０は、制御部２７を介して赤外線受信部２２から供給される操作信号に基づいて、自動的に番組の重複を解決する自動解決処理を有効にするか否かを判定する。
【００３５】
例えば、ユーザが、リモートコマンダ１４を操作して、表示部２５に表示されている設定画面の有効指定ボタンを操作してオン（有効）にした場合には、情報処理部３０は、自動解決処理を有効にすると判定する。一方、ユーザが、表示部２５に表示されている設定画面の有効指定ボタンを操作してオフ（無効）にした場合には、情報処理部３０は、自動解決処理を有効にしないと判定する。
【００３６】
ステップＳ１２において、情報処理部３０が、自動解決処理を有効にすると判定した場合、処理はステップＳ１３に進む。
【００３７】
ステップＳ１３において、情報処理部３０は、自動解決処理を有効と登録する。例えば、情報処理部３０は、不揮発メモリ２８に記憶される自動解決処理の有効／無効を示すフラグに、有効を示す「１」を記憶させる。
【００３８】
ステップＳ１３の処理後、処理はステップＳ１４に進み、情報処理部３０は、ユーザが表示部２５に表示されている設定画面の入力ボックスに入力したカット時間を、不揮発メモリ２８に記憶される自動解決条件に登録する。
【００３９】
ステップＳ１４の処理後、処理はステップＳ１５に進み、情報処理部３０は、表示部２５に表示されている設定画面の優先指定ボタンに対するユーザの操作に応じて、予約を優先させる優先順位を、不揮発メモリ２８に記憶される自動解決条件に登録する。例えば、ユーザは、重複した２つの番組のうちの、開始時刻が先の番組と、開始時刻が後の番組とのいずれの予約を優先するかを指定し、情報処理部３０は、予約を優先させると指定された方の番組の優先順位を高くし、他方の番組の優先順位を低く登録する。
【００４０】
一方、ステップＳ１２において、情報処理部３０が、自動解決処理を有効にしない（無効にする）と判定した場合、処理はステップＳ１６に進む。
【００４１】
ステップＳ１６において、情報処理部３０は、自動解決処理を無効と登録する。例えば、情報処理部３０は、不揮発メモリ２８に記憶される自動解決処理の有効／無効を示すフラグに、無効を示す「０」を記憶させる。
【００４２】
ステップＳ１５またはＳ１６の処理後、処理はステップＳ１７に進み、情報処理部３０は、自動解決条件を設定する処理を終了させるか否かを判定する。例えば、ユーザが、リモートコマンダ１４により、表示部２５に表示されている設定画面に対し、自動解決条件を設定する処理を終了させる操作を行うと、情報処理部３０は、自動解決条件を設定する処理を終了させると判定する。
【００４３】
ステップＳ１７において、情報処理部３０が自動解決条件を設定する処理を終了させないと判定した場合、処理はステップＳ１２に戻り、以下、同様の処理が繰り返される。一方、ステップＳ１７において、情報処理部３０が自動解決条件を設定する処理を終了させると判定した場合、処理は終了される。
【００４４】
以上のように、テレビジョン受像機１１では自動解決条件を設定する処理が実行され、予約登録処理において参照される自動解決条件が登録される。
【００４５】
次に、図４は、図２のテレビジョン受像機１１において実行される予約登録処理を説明するフローチャートである。
【００４６】
例えば、ユーザが、リモートコマンダ１４を操作して所望の番組を指定し、その番組の予約を登録する操作を行うと、予約登録処理が開始される。
【００４７】
ステップＳ２１において、情報処理部３０は、制御部２７を介して赤外線受信部２２から供給される操作信号に基づいて、ユーザにより指定された番組を、新たに予約を登録する対象として、その番組の番組情報を取得する。例えば、上述したように、不揮発メモリ２８には、放送波受信部２３またはネットワーク接続部２４が取得した番組情報が記憶されており、情報処理部３０は、その番組情報の中から、新たに予約を登録する番組の番組情報を取得する。ステップＳ２１の処理後、処理はステップＳ２２に進む。
【００４８】
ステップＳ２２において、情報処理部３０は、ステップＳ２１で取得した番組情報に基づいて、不揮発メモリ２８に記憶されている予約情報を参照し、新たに予約を登録する番組の予約時間が、予約済みの番組の予約時間と重複しているか否かを判定する。
【００４９】
ステップＳ２２において、情報処理部３０が、新たに予約を登録する番組の予約時間が予約済みの番組の予約時間と重複していると判定した場合、処理はステップＳ２３に進み、情報処理部３０は、自動解決処理が有効に設定されているか否かを判定する。
【００５０】
例えば、図３を参照して説明したように、不揮発メモリ２８には、自動解決処理の有効／無効を示すフラグが記憶されており、そのフラグが有効を示す「１」である場合、情報処理部３０は、自動解決処理が有効に設定されていると判定する。一方、自動解決処理の有効／無効を示すフラグが無効を示す「０」である場合、情報処理部３０は、自動解決処理が有効に設定されていないと判定する。
【００５１】
ステップＳ２３において、情報処理部３０が、自動解決処理が有効に設定されていると判定した場合、処理はステップＳ２４に進み、情報処理部３０は、予約時間が重複している番組どうしの重複時間が自動解決条件を満たしているか否かを判定する。
【００５２】
図３を参照して上述したように、不揮発メモリ２８には自動解決条件としてカット時間が登録されており、情報処理部３０は、予約時間が重複している番組どうしの重複時間がカット時間以内であれば、自動解決条件を満たしていると判定する。一方、情報処理部３０は、予約時間が重複している番組どうしの重複時間がカット時間より長ければ、自動解決条件を満たしていないと判定する。
【００５３】
ステップＳ２４において、情報処理部３０が、予約時間が重複している番組どうしの重複時間が自動解決条件を満たしていると判定した場合、処理はステップＳ２５に進む。
【００５４】
ステップＳ２５において、情報処理部３０は、不揮発メモリ２８に記憶されている自動解決条件を参照し、優先順位の低い方の番組の予約時間を、カット時間より短い重複時間だけ短縮して、重複が解決されるように予約を変更する。
【００５５】
ステップＳ２５の処理後、処理はステップＳ２６に進み、情報処理部３０は、予約時間が重複している番組のどちらの予約時間を、どれだけ変更したかをユーザに提示するメッセージを、制御部２７を介して表示部２５に表示させ、処理はステップＳ３０に進む。
【００５６】
一方、ステップＳ２３において、自動解決処理が有効に設定されていないと判定された場合、または、ステップＳ２４において、番組の重複状況が自動解決条件を満たしていないと判定された場合、処理はステップＳ２７に進む。
【００５７】
ステップＳ２７において、情報処理部３０は、自動的に番組の予約を変更することをユーザが承諾するかを確認する予約変更確認メッセージを、制御部２７を介して表示部２５に表示させる。
【００５８】
ステップＳ２７の処理後、処理はステップＳ２８に進み、情報処理部３０は、制御部２７を介して赤外線受信部２２から供給される操作信号に基づいて、自動的に番組の予約を変更することをユーザが承諾したか否かを判定する。
【００５９】
ステップＳ２８において、情報処理部３０が、自動的に番組の予約を変更することをユーザが承諾したと判定した場合、処理はステップＳ２５に進み、以下、上述した処理が行われる。なお、この場合、情報処理部３０は、設定されているカット時間よりも長い重複時間だけ、優先順位の低い方の番組の予約時間を短縮して、重複を解決する。
【００６０】
一方、ステップＳ２８において、情報処理部３０が、自動的に番組の予約を変更することをユーザが承諾していないと判定した場合、処理はステップＳ２９に進む。
【００６１】
ステップＳ２９において、情報処理部３０は、ユーザがリモートコマンダ１４を操作して予約の重複を回避するように予約を変更させる予約変更画面を、制御部２７を介して表示部２５に表示させる。そして、ユーザが、予約変更画面に対して、重複している番組の予約時間を変更するようにリモートコマンダ１４を操作すると、情報処理部３０は、制御部２７を介して赤外線受信部２２から供給される操作信号に基づいて、その変更を受け付け、処理はステップＳ３０に進む。
【００６２】
また、ステップＳ２２において、情報処理部３０が新たに予約を登録する番組が予約済みの番組と重複していないと判定した場合、処理はステップＳ３０に進む。
【００６３】
ステップＳ３０において、情報処理部３０は、新たに予約を登録する番組の予約情報を、不揮発メモリ２８に記憶させ、予約登録処理を終了する。
【００６４】
ここで、情報処理部３０が新たに予約を登録する番組が予約済みの番組と重複していないと判定していた場合には、ステップＳ２１で取得した番組情報の通りに予約情報を登録する。また、ステップＳ２６の処理後にステップＳ３０に進んでいた場合には、ステップＳ２５で短縮した予約時間に基づいた予約情報を登録する。また、ステップＳ２９の処理後にステップＳ３０に進んでいた場合には、ステップＳ２９で受け付けた変更に基づいた予約情報を登録する。
【００６５】
以上のように、テレビジョン受像機１１では、予約時間が重複していても、自動解決条件に基づいて情報処理部３０が自動的に重複を解決することができる。これにより、ユーザに煩雑な操作をさせることなく、番組の予約を登録することができる。
【００６６】
即ち、例えば、従来のテレビジョン受像機では、重複時間が数分であっても、ユーザが手動で予約を変更して重複を解決しなければ、予約を登録することができなかった。これに対し、テレビジョン受像機１１では、重複時間がカット時間（例えば、数分）以内であれば、情報処理部３０が自動的に番組の重複を解決する処理を行うので、ユーザが手動で予約を変更する必要がない。
【００６７】
また、自動解決条件として番組の優先順位を設定することができるので、ユーザの意図しない予約の変更が行われることが防止される。例えば、ユーザが、予約時刻が後の番組の先頭の部分を録画したいと意図しているときには、予約時刻が後の番組の予約を優先させるように設定することで、予約時刻が後の番組の予約が自動的に変更されることが防止され、確実に録画することができる。
【００６８】
なお、本発明は、例えば、テレビジョン受像機１１にキーワードを登録しておき、そのキーワードに関連した番組を自動的に録画部２６に録画させるテレビジョン受像機１１にも適用することができる。
【００６９】
例えば、情報処理部３０が、新たに取得した番組情報の中から、登録されているキーワードに関連する番組を検出し、その番組の予約登録処理を行う際に、新たに予約を登録する番組の予約時間が予約済みの番組の予約時間と重複していとする。この場合、自動解決処理が有効に設定されていて、かつ、予約時間が重複している番組どうしの重複時間が自動解決条件を満たしていれば、情報処理部３０は、重複が解決されるように予約を変更して登録することができる。なお、この場合、登録済みの番組がユーザにより登録されたものであれば（キーワードに基づく自動登録でなければ）、ユーザにより登録された番組の優先順位が高くなるように処理が行われる。これにより、ユーザにより登録された番組を確実に録画することができる。
【００７０】
なお、本発明は、テレビジョン受像機１１の他、例えば、ハードディスクレコーダやパーソナルコンピュータなどに適用することができる。
【００７１】
また、テレビジョン受像機１１が、ハードディスクドライブや半導体メモリなどの記録媒体を内蔵している他、例えば、外部に接続されたハードディスクレコーダなどに対してテレビジョン受像機１１から映像信号を出力して録画を行わせることができる。
【００７２】
なお、本実施の形態では、テレビジョン受像機１１が１つのチューナを搭載している例について説明したが、テレビジョン受像機１１は、２つ以上のチューナを搭載してもよい。
例えば、テレビジョン受像機１１が２つのチューナを搭載している場合には、２つの番組の予約時間が重複して登録することができる。そして、予約時間が重複する３つめの番組の予約を行うように操作された場合に、即ち、テレビジョン受像機１１が同時に録画または視聴することが可能な番組の最大数を超えた場合に、予約済みの番組と重複していると判定され、自動解決処理が行われる。
【００７３】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【００７４】
図５は、上述した一連の処理をプログラムにより実行するコンピュータのハードウエアの構成例を示すブロック図である。
【００７５】
コンピュータにおいて、CPU（Central Processing Unit）１０１，ROM（Read Only Memory）１０２，RAM（Random Access Memory）１０３は、バス１０４により相互に接続されている。
【００７６】
バス１０４には、さらに、入出力インタフェース１０５が接続されている。入出力インタフェース１０５には、キーボード、マウス、マイクロホンなどよりなる入力部１０６、ディスプレイ、スピーカなどよりなる出力部１０７、ハードディスクや不揮発性のメモリなどよりなる記憶部１０８、ネットワークインタフェースなどよりなる通信部１０９、磁気ディスク、光ディスク、光磁気ディスク、或いは半導体メモリなどのリムーバブルメディア１１１を駆動するドライブ１１０が接続されている。
【００７７】
以上のように構成されるコンピュータでは、CPU１０１が、例えば、記憶部１０８に記憶されているプログラムを、入出力インタフェース１０５及びバス１０４を介して、RAM１０３にロードして実行することにより、上述した一連の処理が行われる。
【００７８】
コンピュータ（CPU１０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア１１１に記録して、あるいは、ローカルエリアネットワーク、インタネット、デジタル衛星放送といった、有線または無線の伝送媒体を介して提供される。
【００７９】
そして、プログラムは、リムーバブルメディア１１１をドライブ１１０に装着することにより、入出力インタフェース１０５を介して、記憶部１０８にインストールすることができる。また、プログラムは、有線または無線の伝送媒体を介して、通信部１０９で受信し、記憶部１０８にインストールすることができる。その他、プログラムは、ROM１０２や記憶部１０８に、あらかじめインストールしておくことができる。
【００８０】
なお、上述のフローチャートを参照して説明した各処理は、必ずしもフローチャートとして記載された順序に沿って時系列に処理する必要はなく、並列的あるいは個別に実行される処理（例えば、並列処理あるいはオブジェクトによる処理）も含むものである。また、プログラムは、１のCPUにより処理されるものであっても良いし、複数のCPUによって分散処理されるものであっても良い。
【００８１】
なお、本発明の実施の形態は、上述した実施の形態に限定されるものではなく、本発明の要旨を逸脱しない範囲において種々の変更が可能である。
【図面の簡単な説明】
【００８２】
【図１】本発明を適用したテレビジョン受像機の一実施の形態の構成例を示す図である。
【図２】図１のテレビジョン受像機１１の構成例を示すブロック図である。
【図３】図２のテレビジョン受像機１１が、自動解決条件を設定する処理を説明するフローチャートである。
【図４】図２のテレビジョン受像機１１において実行される予約登録処理を説明するフローチャートである。
【図５】本発明を適用したコンピュータの一実施の形態の構成例を示すブロック図である。
【符号の説明】
【００８３】
１１  テレビジョン受像機，  １２  アンテナ，  １３  ネットワーク，  １４  リモートコマンダ，  ２１  電源，  ２２  赤外線受信部，  ２３  放送波受信部，  ２４  ネットワーク接続部，  ２５  表示部，  ２６  録画部，  ２７  制御部，  ２８  不揮発メモリ，  ２９  揮発メモリ，  ３０  情報処理部
【図１】
2010130298.tif 000003
【図２】
2010130298.tif 000004
【図３】
2010130298.tif 000005
【図４】
2010130298.tif 000006
【図５】
2010130298.tif 000007